(57)【要約】【課題】歯科治療における一連の根管長測定作業を、術者に負担をかけることなく、効率よく行うことができる。【解決手段】導電性の針部材から成る根管長測定針１を測定電極（ファイルクリップ）６ａでクリップし、前記根管長測定針１を根管３内へ挿入し、その先端が根尖に達したことを電気的に検出し、その時の前記根管長測定針１の根管内への押入長さを該測定針１に設けられたストッパ４に転写して根管長を測定する。先端部に測定針１に接触されるクリップ部６ａを有する測定電極線６と、該測定電極線６が挿通されるファイルクリップホルダー１０（保護管１１）とを有し、該ファイルクリップホルダー１０（保護管１１）の外表面に前記根管長を読み取るための目盛を有する。【選択図】図１
2012019849.tif 000002
【特許請求の範囲】
【請求項１】
導電性の根管長測定針をクリップして前記根管長測定針の先端が根尖に達したことを電気的に検出し、その時の前記根管長測定針の根管内への押入深さを該測定針に摺動自在に設けられたストッパに置き換え、該測定針の先端から該ストッパまでの長さより根管長を測定する歯科用根管長測定器において、先端部に前記測定針に接触されるクリップ部を有する測定電極線と、該測定電極線が挿通される測定針クリップホルダーとから成り、該測定針クリップホルダーの外表面に前記根管長を読み取るための目盛を有することを特徴とする歯科用根管長測定器。
【請求項２】
前記根管長は、前記測定針の先端から前記ストッパまでの長さであることを特徴とする請求項１に記載の歯科用根管長測定器。
【請求項３】
前記目盛は、前記ファイルクリップホルダーの先端を０基準とするものであることを特徴とする請求項１又は２に記載の歯科用根管長測定器。
【発明の詳細な説明】
【技術分野】
【０００１】
本発明は、歯科用根管長測定器、より詳細には、根管治療の際に行われる根管長測定において、根尖孔の位置を検出した後の根管長測定針に留保されているストッパの位置、すなわち、根管長測定針の先端から前記ストッパまでの長さ（根管長）を計測する目盛を、根尖孔の位置を検出する際に前記根管長測定針をクリップするのに使用した測定針クリップホルダーの表面に一体的に設けた歯科用根管長測定器に関する。
【背景技術】
【０００２】
根管治療においては、根管治療に先立って、根管長測定針を根管内に挿入し、その先端が根尖孔の位置に到達したことを検知し、その状態で、根管長測定針に挿通されたストッパの位置を歯冠に当接させ、その状態で根管長測定針を根管から引き出し、物差し等を用いて、根管長測定針の先端から前記ストッパまでの長さ（根管長）を計測して根管長を求めている。
【０００３】
図２は、本発明が適用される根尖孔位置検出装置の一例を説明するための要部構成図で、図中、１は根尖孔位置（又は根管長）測定針（リーマ又はファイル）、２は根尖孔位置（又は根管長）を測定しようとする歯牙、３は根管、４は測定針１に軸方向に移動可能に設けられたストッパ、５は口唇、６ａは測定電極（測定針１をクリップするファイルクリップ）、７は対向電極、８は測定電極６ａに連通する測定電極用リード線、９は口唇５に引っかけられた対向電極８に連通する対向電極用リード線、１０は先端部に前記ファイルクリップ６ａを有する測定電極線６（図４参照）を収納したファイルクリップホルダー、２０は前記リード線８，９が接続された根管長測定器、２１は根尖孔位置検出表示部で、周知のように、測定針（ファイル）１にファイルクリップ６ａを接触させた状態で、測定針１を根管３内に挿入していった時の根尖孔位置検出表示部２１の指針位置より測定針１の先端が根尖孔位置に達したことを知り、その状態でストッパ４を歯牙２の歯冠に当たる位置まで動かし、その状態で口腔外に取り出し、物差しで測定針１の先端からストッパ４までの長さを測定するものである（例えば、特許文献１参照）。表示部２１は、例えば、ＬＥＤ，液晶等で構成され、ＡＰＥＸ（根尖孔位置），Ｗ．Ｌ（作業長：根管長）が表示され、根管長測定針１の先端が根尖孔位置に達した時に、アラーム等が鳴るようになっている。（なお、根尖孔位置を電気的に検出する方法としては、特許文献２をはじめ、多数の公報が公開されているので、その詳細については省略する）。
【０００４】
図３は、図２に示したファイルクリップホルダー１０の使用例を説明するための図、図４は、図３に示したファイルクリップホルダー１０の断面構成図で、図中、１０はリーマ又はファイル等の根管長測定針１を測定電極（ファイルクリップ）６ａと協働してクリップする先端部を有する測定針（ファイル）クリップホルダーで、周知のように、根管長測定針１は、導電性の針部材１ａ，刃部１ｂ，把持部１ｃ等から成り、リーマ又はファイルから成る測定針１を用いて根管長を測定する場合、ラバーストッパ４と把握部１ｃの間を測定用電極６ａで保持し、測定針１を一方の電極とする電気的根管長測定の際の一方の電極の信号取り付け部としている。この電気的な根管長の測定により、根管長が検出できたら、ラバーストッパ４を移動させて、根管長を測定針１に移して読んでいた。
【０００５】
測定電極線６は、図４に示すように、絶縁性の保護管１１（ファイルクリップホルダー１０）内に挿通され、その端部は、機械的には、押圧部材１２に固定され、電気的にはリード線８に接続され、該リード線８を通して図２に示した根管長（根尖位置）測定器２０に導かれている。一方、保護管１１の端部１１ａは大径に形成され、この大径部１１ａ内にスプリング１３が挿入されている。従って、押圧部材１２を矢別Ａ方向に押すと、スプリング１３が圧縮され、測定電極線６が矢印Ａ′方向に移動し、従って、保護管１１の先端部１１ｂと測定電極線６の先端のクリップ部６ａとの間に測定針１を挿入することができ、押圧部材１２の押圧力を解除すると、測定電極線６は、スプリング１３の復元力によって矢印Ｂ′方向に移動し、従って、図３に示したように、保護管１１の先端部１１ｂと測定電極線６の先端クリップ部６ａとの間に測定針１を狭持（クリップ）することができる。
【先行技術文献】
【特許文献】
【０００６】
【特許文献１】特開２００８−６８０１５号公報
【特許文献２】特公昭６２−２１８７号公報
【発明の概要】
【発明が解決しようとする課題】
【０００７】
上述のように、従来、根管長の測定は、根管長測定針をその先端が根尖孔に到達するまで挿入し、その状態で、測定針に挿通されたストッパを歯冠に当接させ、その後、測定針を歯根から引き出して、前記測定針の先端からストッパまでの距離（長さ）を物差し等を用いて計測しているが、物差しがいつも手元にあるとは限らず、また、物差しも滅菌しなければならず、その管理が面倒であった。
【０００８】
なお、特許文献１に記載の発明においては、物差しを根管長測定器２０に取り付けることが提案されており、その場合には、物差しは身近にあるものの、測定針１に置き換えられたストッパまでの長さを計測するにあたり、術者は身体を移動させて、測定針１を根管長測定器２０の目盛の前で持っていかなければならず、また、根管長測定器の目盛部の滅菌もしなければならず、使用に勝手が必ずしも十分でなかった。
【０００９】
本発明は、上述のごとき実情に鑑みてなされたもので、歯科治療における根管長測定作業において、根管長測定針（ファイル）に転写された根管の長さを、根管長測定時、根管長測定針を保持するファイルクリップホルダー（測定電極線が挿入された保護管）の表面に設けた目盛によって読み取り可能とし、一連の根管長測定作業を、術者に負担をかけることなく、効率的に行えるようにし、更には、ファイルクリップホルダーを滅菌することによって目盛（物差し）も同時に滅菌され、衛生的に根管長測定ができるようにしたものである。
【課題を解決するための手段】
【００１０】
上記課題を解決するために、請求項１の発明は、導電性の根管長測定針をクリップして前記根管長測定針の先端が根尖に達したことを電気的に検出し、その時の前記根管長測定針の根管内への押入深さを該測定針に摺動自在に設けられたストッパに置き換え、該測定針の先端から該ストッパまでの長さより根管長を測定する歯科用根管長測定器において、先端部に前記測定針に接触されるクリップ部を有する測定電極線と、該測定電極線が挿通される測定針クリップホルダーとから成り、該測定針クリップホルダーの外表面に前記根管長を読み取るための目盛を有することを特徴としたものである。
【００１１】
請求項２の発明は、請求項１の発明において、前記根管長は、前記測定針の先端から前記ストッパまでの長さであることを特徴としたものである。
【００１２】
請求項３の発明は、請求項１又は２の発明において、前記目盛は、前記ファイルクリップホルダーの先端を０基準とするものであることを特徴としたものである。
【発明の効果】
【００１３】
本発明によると、歯科治療における一連の根管長測定作業を、術者に負担をかけることなく、効率よく、しかも衛生的に行うことができる。
【図面の簡単な説明】
【００１４】
【図１】本発明による根管長測定器の一実施例を説明するための図である。
【図２】本発明が適用される根管長測定装置の使用例を説明するための図である。
【図３】図２に示したファイルクリップホルダー１０の使用例を説明するための図である。
【図４】図３に示したファイルクリップホルダー１０の断面構成を示す図である。
【発明を実施するための形態】
【００１５】
図１は、本発明による根管長測定器の一実施例を説明するための概略構成図で、図１（Ａ）において、１は根管長測定針（ファイル、リーマー）、２は歯牙、３は根管、４はストッパ、６ａはファイルクリップ（測定電極）、１０は測定針（ファイル）クリップホルダーで、周知のように、測定針（ファイル）１にファイルクリップ（測定電極）６ａを接触させた状態で、測定針１を根管３内に挿入していき、前述の根尖位置検出表示器２０の指針位置により測定針１の先端が根尖位置に達したことを知り、その状態でストッパ４を歯牙２の歯冠に当たる位置まで動かし、その状態で口腔外に取り出し、物差しで根管長測定針１の先端からストッパ４までの長さを測定するものである。
【００１６】
上述のように、根管長測定においては、物差しは必須の部品であるが、その物差しの管理が十分でないと、その都度、物差しの心配をしなければならず、また、物差しが予め所定の場所に備えられている場合には、術者が、その場所まで身体を動かさなければならず、一連の根管長測定作業を効率よく行うことができなかった。また、物差しを滅菌しなければならず、その作業が大変であった。
【００１７】
本発明は、上述のごとき実情に鑑みてなされたもので、図１（Ｂ）に示すように、ファイルクリップホルダー１０（測定電極線６の保護管１１）の表面に目盛を設けておき、該目盛を用いて、測定針（ファイル）１に置き換えられた根管長を測定するようにしたものである。目盛をファイルクリップホルダー１０の先端を０基準として目盛っておくと、ストッパ４をファイルクリップホルダー１０の先端に合せることで、容易に計測することができる。
【００１８】
上述のように、本発明によると、根管長測定に当り、術者が手に持って根尖位置検出作業しているファイルクリップホルダーに設けられている物差し（目盛）を用いて、根管長測定針に置き換えられた根管長を測定することができるので、術者は、手元の物差しを用いて、測定針を歯根から取り出して直ぐに根管長測定作業を行うことができる。また、ファイルクリップホルダーを滅菌することによって、物差し（目盛）も同時に滅菌されるので、より衛生的に根管長測定を行うことができる。
【符号の説明】
【００１９】
１…根管長測定針（ファイル）、２…歯牙、３…根管、４…ストッパ、６…測定電極線、６ａ…ファイルクリップ（測定電極）、１０…ファイルクリップホルダー、１１…測定用電極線保護管。
【図１】
2012019849.tif 000003
【図２】
2012019849.tif 000004
【図３】
2012019849.tif 000005
【図４】
2012019849.tif 000006